(57)【要約】【課題】  本発明は玉網に関し、網部と柄の着脱が速やかに行え、且つ連結した網部と柄の緩みやガタ付きのない玉網を提供することを目的とする。【解決手段】  柄と、網枠に網部が取り付いた網部が着脱可能な玉網に於て、上記網部と柄のいずれか一方の連結部に突部を、他方の連結部に当該突部が嵌合可能な嵌合孔を形成し、上記突部に、柄の着脱方向に形成されて突部の先端に開口する切欠き溝とこれに連通する係合孔を設け、前記凹部の周壁間に、上記切欠き溝を介して係合孔に挿通可能な軸部を回動自在に取り付けると共に、当該軸部に、前記切欠き溝に挿通可能、且つ軸部の回動操作で上記係合孔に係合して切欠き溝から取出し不能な係合部を設けたことを特徴とする。【選択図】    図１
2005110585.tif 000002
【特許請求の範囲】
【請求項１】
柄と、網枠に網が取り付いた網部が着脱可能な玉網に於て、
上記網部と柄のいずれか一方の連結部に突部を、他方の連結部に当該突部が嵌合可能な嵌合孔を形成し、
上記突部に、柄の着脱方向に形成されて突部の先端に開口する切欠き溝とこれに連通する係合孔を設け、
前記凹部の周壁間に、上記切欠き溝を介して係合孔に挿通可能な軸部を回動自在に取り付けると共に、
当該軸部に、前記切欠き溝に挿通可能、且つ軸部の回動操作で上記係合孔に係合して切欠き溝から取出し不能な係合部を設けたことを特徴とする玉網。
【請求項２】
軸部の少なくとも一端は凹部の周壁の外側に露出し、当該一端に軸部の回動操作部を設けたことを特徴とする請求項１に記載の玉網。
【発明の詳細な説明】
【技術分野】
【０００１】
本発明は、魚釣りに用いる玉網に関する。
【背景技術】
【０００２】
魚釣り（鮎釣り）に使用される玉網は、柄の一端に、袋状の網を網枠に装着した網部が取り付いた構造となっているが、釣場への移動時や保管時の如く玉網を使用しない場合にコンパクトな形態にすることができるように、従来、柄と網部を着脱自在にしたものが知られている（特許文献１〜４参照。）。
特許文献１に開示された玉網は、網枠の連結部に設けた雄ネジと柄に設けた雌ネジを螺合することで網部と柄を着脱可能としたものである。
【０００３】
図１５及び図１６は特許文献２に開示された玉網を示し、この玉網１は、網３を網枠５に装着した網部７と柄９を、網部７の連結部に設けた第１連結具１１と、柄９の連結端に設けた第２連結具１３を介してねじ込み連結したもので、第１連結具１１と第２連結具１３に、夫々、ねじ軸１５，ねじ穴１７が設けられると共に、両連結具１１，１３間に、ねじ軸１５にねじ込まれて第２連結具１３を回転不能に固定するロックナット１９を配置した構造となっている。
【０００４】
そして、上記ねじ軸１５は、ねじ穴１７にねじ込まれる連結ねじ部２１と、当該連結ねじ部２１より大径のロックねじ部２３とを備えており、ロックねじ部２３のねじピッチが連結ねじ部２１のねじピッチより小さく設定されて、ロックねじ部２３にロックナット１９がねじ込まれている。
また、特許文献３に開示された玉網は、図１７に示すように柄２５の先端に取り付けられて内外周に貫通形成したロック体収納部２７内にロック体２９を収納した筒状内部部材３１と、これに柄２５の元方向にコイルバネ３３でバネ力を付勢してスライド自在に外装されると共に、内周に柄２５の元方向に向けて押え面３５と係合解除用凹部３７とを設けた筒状操作部材３９と、網枠４１に取り付き、筒状内部部材３１の内周孔に挿入可能に形成されて、外周面に前記ロック体２９を係脱する環状係合溝４３を有する雄ジョイント４５とで玉網４７の網枠着脱装置４９を構成したもので、コイルバネ３３のバネ力に抗して矢印方向へ筒状操作部材３９をスライドさせつつ雄ジョイント４５の挿入軸５１を筒状内部部材３１に挿入することで、柄２５に網枠４３が取り付くようになっている。
【０００５】
そして、網枠４１を柄２５から取り外すには、コイルバネ３３のバネ力に抗して筒状操作部材３９をスライドさせて、挿入軸５１を筒状内部部材３１から引き抜けばよい。
更に、特許文献４に開示された従来例は、図１８乃至図２２に示すように柄５３の先端面に設けた扁平挿入穴５５に、網部５７の網枠５９に取り付けた枠固定具６１を着脱自在に嵌め、柄５３と枠固定具６１に設けた引寄せ機構６３によって枠固定具６１を扁平挿入穴５５に緊密に嵌合させるようにしたもので、引寄せ機構６３は、図２１及び図２２に示すように柄５３に回転自在に設けられて内面が偏心カム面６５となり、一部が側方に開口した凹部６７を有するカム板６９と、枠固定具６１に開設され、カム板６９の進入を許す嵌合室７１と、当該嵌合室７１の中央に突設され、カム板６９のカム面６５に摺動可能な突起７３とで構成されている。
【０００６】
そして、網部５７を柄５３に取り付けるには、嵌合室７１にカム板６９を進入させ乍ら扁平挿入穴５５に枠固定具６１を嵌めて、図２０の如くカム板６９の操作溝７５に係合させたコイン７７でカム板６９を１８０°回転させればよく、斯様にカム板６９を回転させることで、突起７３がカム面６５の奥に移動し、枠固定具６１が扁平挿入穴５５に引き寄せられて網部５７が柄５３に取り付く。そして、網部５７の取外しは、カム板６９をコイン７７で逆方向へ１８０°回転させればよい。
【特許文献１】実開昭５４−１１２７９３号公報
【特許文献２】実開平７−４２６０７号公報
【特許文献３】特開２０００−３５０３５６号公報
【特許文献４】実開平６−５７１６３号公報
【発明の開示】
【発明が解決しようとする課題】
【０００７】
しかし乍ら、特許文献１に開示された従来例は、網部と柄の着脱に当たり、柄や網部を何回も回してネジ止めしたり緩めなければならないため着脱操作が煩わしく、また、使用中にネジが緩み易い欠点があった。
また、図１５の従来例は、ロックナット１９を用いたことで緩みは少なくなるものの、上記従来例と同様、ネジを何回も回して着脱操作を行うため作業が煩わしい。
【０００８】
一方、図１７に示す従来例にあっては、例えば鮎の取込み時に片手で柄９を握ってベルトと身体の間に差し込んでいる玉網４７を引き抜く際に、誤って筒状操作部材３９に触れてロックを解除してしまう不具合が指摘されている。
そして、図１８以下の従来例は、既述したように突起７３をカム面６５の奥に移動させ乍ら、枠固定具６１を扁平挿入穴５５に引き寄せて網部５７を柄５３に連結する構造上、使用時にガタ付きが生じやすい不具合があった。
【０００９】
本発明は斯かる実情に鑑み案出されたもので、網部と柄の着脱が速やかに行え、且つ連結した網部と柄の緩みやガタ付きのない玉網を提供することを目的とする。
【課題を解決するための手段】
【００１０】
斯かる目的を達成するため、請求項１に係る発明は、柄と、網枠に網部が取り付いた網部が着脱可能な玉網に於て、上記網部と柄のいずれか一方の連結部に突部を、他方の連結部に当該突部が嵌合可能な嵌合孔を形成し、上記突部に、柄の着脱方向に形成されて突部の先端に開口する切欠き溝とこれに連通する係合孔を設け、前記凹部の周壁間に、上記切欠き溝を介して係合孔に挿通可能な軸部を回動自在に取り付けると共に、当該軸部に、前記切欠き溝に挿通可能、且つ軸部の回動操作で上記係合孔に係合して切欠き溝から取出し不能な係合部を設けたことを特徴とする。
【００１１】
そして、請求項２に係る発明は、請求項１に記載の玉網に於て、軸部の少なくとも一端は凹部の周壁の外側に露出し、当該一端に軸部の回動操作部を設けたことを特徴とする。
【発明の効果】
【００１２】
請求項１に係る発明によれば、柄と網部の取付けに当たり、突部を嵌合孔に嵌合して軸部を回動操作するだけで、係合孔に軸部の係合部が係合して柄と網部がガタ付きなく且つ緩みなく連結され、また、柄と網部の取り外しに当たっても、軸部を回動操作するだけで柄と網部が分離可能な状態となるため、従来例の如くネジを何回も回して柄と網部の着脱操作を行うことなく柄と網部の着脱が速やかに行え、また、突部が嵌合孔に嵌合し、且つ係合孔に軸部の係合部が係合することで、連結した網部と柄の緩みやガタ付きがない利点を有する。
【００１３】
そして、請求項２に係る発明によれば、外側に露出した回動操作部によって軸部の回動操作が容易に行え、この結果、柄と網部の着脱操作が容易に行える利点を有する。
【発明を実施するための最良の形態】
【００１４】
以下、本発明の実施形態を図面に基づいて詳細に説明する。
図１乃至図１２は請求項１及び請求項２に係る玉網の第一実施形態を示し、図１に於て、８１は柄８３と、網枠８５に網８７が装着された網部８９が、夫々に取り付く連結部９１，９３を介して着脱自在に連結された玉網で、図２に示すように連結部９３は樹脂を材料として平面視略Ｙ字状に形成されており、網枠８５に沿って左右に延設されたアーム部９３ａ，９３ｂに、網枠８５の図示しない左右の各端部が挿着されている。
【００１５】
また、連結部９３の基部９３ｃの端部には、柄８３の着脱方向へブロック状の突部９５が一体に突設されている。
図８及び図９に示すように突部９５は、後述する連結部９１側の嵌合孔９７と形状を一致させて上下両面が円弧状に、そして、左右両面が平行な平面状に形成された外形形状となっており、当該突部９５を嵌合孔９７に嵌合すると、周方向への回動が防止されてこの連結部分がガタ付かないようになっている。そして、図２及び図４に示すように上記突部９５には、柄８３の着脱方向に均一な幅で形成されて突部９５の先端を均等に二分割する切欠き溝９９と、これに連通する平面視Ｃ字形状の係合孔１０１が設けられている。
【００１６】
一方、柄８３に取り付く連結部９１は、柄８３と同じく樹脂を用いて中空な筒状に成形されており、柄８３の先端の開口部に連結部９１の後端側小径部が挿着されて、柄８３に連結部９１が面一に取り付けられている。
尚、図１に示すように柄８３の後端側は略弓形形状に成形されて、図示しないベルトと釣人の胴体との間に柄８３が容易に挿入できるように先細とされている。
【００１７】
そして、既述したように連結部９１の先端に、前記突部９５が嵌合可能な嵌合孔９７が突部９５の外形形状に沿って連結部９１の軸方向へ設けられている。そして、嵌合孔９７の周壁間に、前記切欠き溝９９と係合孔１０１とに挿通可能な軸部１０３が回動自在に取り付けられている。
図３及び図６に示すように軸部１０３は、連結部９１の周壁に相対して設けられた円形な支持孔１０５，１０７に回動可能に取り付く左右の平行な円盤状のフランジ部１０９，１１１と、両フランジ部１０９，１１１間に一体成形された軸本体１１３とからなり、軸部１０３は全体が金属または樹脂で形成されている。そして、図６及び図１２に示すようにフランジ部１０９，１１１は、夫々、支持孔１０５，１０７を中心に連結部９１の外周に設けた円形状の凹部１１５，１１７内に突出し、一方のフランジ部１０９に抜止め部材（Ｃリング）１１９が係止して軸部１０３の脱落防止が図られている。
【００１８】
そして、外方に露出する他方のフランジ部１１１の表面には、軸部１０３の回動操作部としてスリット１２１が設けられており、当該スリット１２１にコインを係合させて軸部１０３を回動させるようになっている。
而して、図５，図８及び図９に示すように軸本体１１３は、前記切欠き溝９９を挿通可能な肉厚（図５，図６中、肉厚ｍ）とされた扁平な断面形状をなしているが、図８に示すように軸本体１１３は、前記係合孔１０１の径と同一寸法の幅（図中、幅ｎ）をもって形成されており、幅方向の両側面が係合孔１０１の内周面と一致した円弧状に形成されている。
【００１９】
そして、図４及び図５に示すように前記スリット１２１は、軸本体１１３の幅方向に沿って設けられており、図８の如く軸本体１１３を前記切欠き溝９９，係合孔１０１に挿通させた後、図１０及び図１１に示すようにスリット１２１にコインを係合させて軸部１０３を略９０°回動させると、軸本体１１３は係合孔１０１に係合して切欠き溝９９から取出し不能な係合部として機能するようになっている。
【００２０】
尚、上記軸部１０３（軸本体１１３）の形状に代え、例えば両フランジ部１０９，１１１間の軸本体を切欠き溝９９，係合孔１０１に挿通可能な丸棒に形成して、これに上記軸本体１１３の断面形状と同一形状の係合片（係合部）を取り付けてもよい。
その他、図４中、１２３は突部９５に環装されたゴム製のパッキンである。
本実施形態はこのように構成されているから、釣場への移動時や保管時の如く玉網８１を使用しない場合には、従来と同様、柄８３と網部８９を分離しておけばよい。
【００２１】
そして、玉網８１を使用するには、先ず、図４乃至図６の如くスリット１２１を柄８３の取付方向に沿わせて軸本体１１３を突部９５の切欠き溝９９に挿通可能な状態にした後、図７乃至図９の如く突部９５を嵌合孔９７内に挿入，嵌合させればよく、これに伴い、軸本体１１３が切欠き溝９９を挿通して係合孔１０１内に配置される。
而して、この後、図１０乃至図１２に示すようにスリット１２１にコインを係合させて軸部１０３を略９０°回動させれば、抜け止めされ、軸本体１１３が係合孔１０１に係合して切欠き溝９９から取出し不能な形態となるため、網部８９と柄８３が連結部９１，９３を介して一体に連結される。そして、この時、突部９５が嵌合孔９７に嵌合し、且つ既述したように軸本体１１３が係合孔１０１の径と同一寸法の幅をもって形成されているため、軸本体１１３が係合孔１０１の内周に強固に係合して連結部分のガタ付きや緩みを防止する。また、軸部１０３は、嵌合孔９７の内側を横切るように嵌合孔９７の周壁に支持され、係合孔１０１に挿通された軸本体１１３は、突部９５を横切るように貫通して当該係合孔１０１に係合するため、連結部分のガタ付きや緩みが防止される。
【００２２】
また、使用後、柄８３から網部８９を取り外すには、図１０の状態からスリット１２１にコインを係合し、軸部１０３を略９０°回動させて図７，図８の状態に操作すれば、軸本体１１３と係合孔１０１との係合状態が解除されて網部８９が柄８３から取り外し可能な状態となるので、突部９５を嵌合孔９７から引き抜けばよい。
このように本実施形態によれば、柄８３と網部８９の取付けに当たり、突部９５を嵌合孔９７に嵌合して軸部１０３をコインで略９０°回動操作するだけで柄８３と網部８９がガタ付きなく且つ緩みなく連結され、また、柄８３と網部８９の取り外しに当たっても、軸部１０３をコインで略９０°回動操作するだけで柄８３と網部８９が分離可能な状態となるので、既述した特許文献１，２の従来例の如くネジを何回も回して柄８３と網部８９の着脱操作を行う必要がなく、柄８３と網部８９の着脱が速やかに行え、また、引用文献１〜４に比し連結した網部８９と柄８３の緩みやガタ付きのない玉網を提供することができることとなった。
【００２３】
而も、スリット１２１が外部に露出しているため、軸部１０３の回動操作が容易に行え、この結果、柄８３と網部８９の着脱操作が容易に行える利点を有する。
図１３及び図１４は請求項１及び請求項２の第二実施形態に係る玉網に用いる軸部を示し、本実施形態の軸部１０３-1は、既述したフランジ部１１１に比しフランジ部１１１-1を厚肉にして、これを凹部１１７より連結部９１の外方に突出させると共に、当該フランジ部１１１-1の外周に滑止め用の溝１２５を刻設することで、当該フランジ部１１１-1を軸部１０３-1の回動操作用の摘みとして軸部１０３-1の回動操作を容易に行えるようにしたものである。
【００２４】
尚、その他の構成は上記第一実施形態と同様であるので、同一のものには同一符号を付してそれらの説明は省略する。
而して、本実施形態によっても、上記第一実施形態と同様、所期の目的を達成することが可能であり、また、本実施形態によれば、コインを用意しなくても、フランジ部１１１-1を直接摘んで回動操作することで網部８９と柄８３の取付けが容易にできる利点を有する。
【図面の簡単な説明】
【００２５】
【図１】請求項１及び請求項２の第一実施形態に係る玉網の全体斜視図である。
【図２】網部と柄の連結部分の斜視図である。
【図３】軸部の斜視図である。
【図４】網部と柄の連結部分（網部と柄が分離した状態）の正面図である。
【図５】図４の断面図である。
【図６】図４のVI−VI線断面図である。
【図７】網部と柄の連結部分（網部と柄が連結した状態）の正面図である。
【図８】図７の断面図である。
【図９】図７のIX−IX線断面図である。
【図１０】網部と柄の連結部分（網部と柄が連結し、軸部の軸本体が係合孔に係合した状態）の正面図である。
【図１１】図１０の断面図である。
【図１２】図１０のXII−XII線断面図である。
【図１３】請求項１及び請求項２の第二実施形態に係る玉網に用いる軸部の斜視図である。
【図１４】軸部が取り付く連結部の断面図である。
【図１５】従来の玉網の網部と柄の連結部分の分解正面図である。
【図１６】網部が連結された玉網の柄の正面図である。
【図１７】従来の玉網の網部と柄の連結部分の断面図である。
【図１８】従来の玉網の網部と柄の連結部分の斜視図である。
【図１９】従来の玉網の網部と柄の連結方法の説明図である。
【図２０】従来の玉網の網部と柄の連結方法の説明図である。
【図２１】カム板の斜視図である。
【図２２】カム板の斜視図である。
【符号の説明】
【００２６】
８１  玉網
８３  柄
８５  網枠
８７  網
８９  網部
９１，９３  連結部
９５  突部
９７  嵌合孔
９９  切欠き溝
１０１  係合孔
１０３，１０３-1  軸部
１０５，１０７  支持孔
１０９，１１１，１１１-1  フランジ部
１１３  軸本体
１１５，１１７  凹部
１１９  抜止め部材
１２１  スリット
１２３  パッキン
【図１】
2005110585.tif 000003
【図２】
2005110585.tif 000004
【図３】
2005110585.tif 000005
【図４】
2005110585.tif 000006
【図５】
2005110585.tif 000007
【図６】
2005110585.tif 000008
【図７】
2005110585.tif 000009
【図８】
2005110585.tif 000010
【図９】
2005110585.tif 000011
【図１０】
2005110585.tif 000012
【図１１】
2005110585.tif 000013
【図１２】
2005110585.tif 000014
【図１３】
2005110585.tif 000015
【図１４】
2005110585.tif 000016
【図１５】
2005110585.tif 000017
【図１６】
2005110585.tif 000018
【図１７】
2005110585.tif 000019
【図１８】
2005110585.tif 000020
【図１９】
2005110585.tif 000021
【図２０】
2005110585.tif 000022
【図２１】
2005110585.tif 000023
【図２２】
2005110585.tif 000024